(57)【要約】      （修正有）【課題】相対して配置した２つの貯水容器により空間を節約できる造波式エコ発電システムを提供する。【解決手段】減速機付モーターの回転力を揺動桿２を介して二片の浮板６を駆動して２個の貯水容器５内の水に高低起伏の波を起こし、その共振により拡大した波運動によって各浮板の他端に枢着した連桿６１を介してその運動スプロケット６１１を経由して回転駆動力に変えて発電機に接続するボールラチェット７１１に伝動する。揺動桿２を介して二片の浮板６を駆動することにより、相対して２つの貯水容器配置が可能となる。【選択図】図１
0003206948.tif 000002
【実用新案登録請求の範囲】
【請求項１】
造波式エコ発電システムにおいて、
その底部を地面、建築物、もしくは貯水容器５の固定部位に固定し、その上方は第一枢設部品１２で揺動桿２の一側と枢設し、揺動桿伝動ユニット３によって駆動される揺動桿２を該枢設部品を支点として回転するよう支持する支持フレーム１と、
その一側の側端に第二枢設部品２０を介して連動フレーム２１を枢設し、該連動フレームは第三枢設部品２２を介して少なくとも二本の触発桿２１２を枢設し、触発桿２１２他端の第四枢設部品２３を介して、揺動桿２の駆動動作によって二片の浮板６の一側を上下方向に往復作動可能とし、
該浮板６は、少なくとも二つをその上方中間の高度位置から第五枢設部品５０でそれぞれ枢設して貯水容器内に貯留した水面に浮かせてなり、
前記揺動桿２の動作により、二片の浮板６を各第五枢設部品５０の中心を支点として回転させて浮板６両側の高低落差動作によって各貯水容器内の水に高低起伏の波を発生させ、更に貯水容器内の高低起伏の波と共振することによって、相対する他側に拡大した波の運動を発生させ、
各貯水容器外の固定部位、もしくは該貯水容器の側壁に設置した第一、二支持桿６３，６３‘の他端に設けた第六枢設部品６４を介して浮板６の他側を枢設すると共に、
浮板６の他側に、それぞれ第一連桿６１と第二連桿６１‘を固定接合し、各第一、二連桿の他端には第一、二スプロケット６１１，６１１’を設け、前記第六枢設部品６４を介して回動動作可能とし、該第一スプロケットの一側は追動軸７１の第一単方向ボールラチェット７１１と噛み合い、該第二スプロケットの一側は第二支持桿に枢設した追動ギア６５の一側と噛み合い、該追動ギアの他側は該追動軸に別に設置した第二単方向ボールラチェット７１２と噛み合って該追動軸に前記拡大した波による運動力を伝動し、
該追動軸は一以上のスプロケットもしくはベルトプーリー７３１介して変速機もしくは伝動ユニット７に伝動して一以上のフライホイール７６によって運動エネルギーを一以上の発電機８に伝えて電力を発生する、少なくとも二片の浮板６を備えることを特徴とする造波式エコ発電ステム。
【請求項２】
前記揺動桿伝動ユニット３は、揺動桿２の他側に二本のワイヤー３１，３２を連接して、該二本のワイヤーを複数の滑車３５，３６で引き回してその他端をクランク伝動軸３３の前、後両側に設置した前クランク３３１及び後クランク３３２と枢設し、該クランク伝動軸３３はスプロケットもしくはベルトプーリー３０１、３３３に巻回したチェーンもしくはベルト３４で減速機付モーター３０の軸心の回転力を伝動することを特徴とする請求項１記載の造波式エコ発電システム。
【請求項３】
造波式エコ発電システムにおいて、
その底部を地面、建築物、もしくは貯水容器５の固定部位に固定し、その上方は第一枢設部品１２で揺動桿２の一側と枢設し、揺動桿伝動ユニット３によって駆動される揺動桿２を該枢設部品を支点として回転するように支持する支持フレーム１と、
その一側の側端に第二枢設部品２０を介して連動フレーム２１を枢設し、該連動フレームは第三枢設部品２２を介して少なくとも二本の触発桿２１２を枢設し、触発桿２１２他端の第四枢設部品２３を介して、揺動桿２の駆動動作によって二片の浮板６の一側を上下方向に往復作動可能とし、
前記揺動桿伝動ユニット３は、揺動桿２の他側に二本のワイヤー３１，３２を連接して、該二本のワイヤーを複数の滑車３５，３６で引き回してその他端をクランク伝動軸３３の前、後両側に設置した前クランク３３１及び後クランク３３２と枢設し、該クランク伝動軸３３はスプロケットもしくはベルトプーリー３０１、３３３に巻回したチェーンもしくはベルト３４で減速機付モーター３０の軸心の回転を伝動可能とし、
該浮板６は、少なくとも二つをその上方中間の高度位置から第五枢設部品５０でそれぞれ枢設して貯水容器内に貯留した水面に浮かせてなり、
前記揺動桿２の動作により、二片の浮板６を各第五枢設部品５０の中心を支点として回転させて浮板６両側の高低落差動作によって各貯水容器内の水に高低起伏の波を発生させ、更に貯水容器内の高低起伏の波と共振することによって、相対する他側に拡大した波の運動を発生させ、
各貯水容器外の固定部位、もしくは該貯水容器の側壁に設置した第一、二支持桿６３，６３‘の他端に設けた第六枢設部品６４を介して浮板６の他側を枢設すると共に、
浮板６の他側に、それぞれ第一連桿６１と第二連桿６１‘を固定接合し、各第一、二連桿の他端には第一、二スプロケット６１１，６１１’を設け、前記第六枢設部品６４を介して回動動作可能とし、該第一スプロケットの一側は追動軸７１の第一単方向ボールラチェット７１１と噛み合い、該第二スプロケットの一側は第二支持桿に枢設した追動ギア６５の一側と噛み合い、該追動ギアの他側は該追動軸に別に設置した第二単方向ボールラチェット７１２と噛み合って該追動軸に前記拡大した波による運動力を伝動し、
該追動軸は一以上のスプロケットもしくはベルトプーリー７３１介して変速機もしくは伝動ユニット７に伝動して一以上のフライホイール７６によって運動エネルギーを一以上の発電機８に伝えて電力を発生する、少なくとも二片の浮板６を備えることを特徴とする造波式エコ発電ステム。
【考案の詳細な説明】
【技術分野】
【０００１】
本考案は、造波式エコ発電システムに関するもので、貯水容器内の浮板の一端側を駆動して貯水容器内の水に波を起こし、浮板はこの動作によりその両側に高低の落差動作を行うと共に、更にそれに伴って形成された高低起伏の波と共振すると、浮板の一側に更に大きな駆動運動となり、連桿によってこの運動を変速機もしくは伝動ユニットと慣性ターンテーブルユニットに伝動してこの運動エネルギーを発電機に伝えて電力を発生させる。
【背景技術】
【０００２】
考案者もしくは出願人の同様の構想に基づく実用新案登録（例えば、特許文献１、２、３参照）として、造波式発電システムの関連技術内容が掲示され、これらの特許は、すべて揺動桿で造波プールの水を動かし、次に造波プールである貯水容器内の水に高低起伏の波を発生させ、高低起伏の波によって浮板が高低起伏動作を行い、そして浮板によって運動エネルギーが発生し、それを伝動ユニットに伝え、慣性ターンテーブルユニットによって運動エネルギーを発電機に伝えて電力を発生させる。
【先行技術文献】
【特許文献】
【０００３】
【特許文献１】日本  実用新案登録第３１８２９３３号
【特許文献２】日本  実用新案登録第３１９１３７４号
【特許文献３】日本  実用新案登録第３１９６４４１号
【考案の概要】
【考案が解決しようとする課題】
【０００４】
解決しようとする問題点として、揺動桿は造波プール中の水を動かして波を作り、次にその波の運動を浮板に伝えて運動エネルギーを受けるが、それは直接浮板に伝えるものではない。そのため、浮板が生む運動エネルギーはまだ強くする必要があり、且つ各揺動桿は造波プール、浮板等関連装置によって一個の貯水容器が使えるだけなので、改善の必要がある。
【課題を解決するための手段】
【０００５】
本考案は、減速機付モーターの駆動力を揺動桿に伝えることによって、少なくとも直接二片の浮板を動かして少なくとも二個の貯水容器内の水で高低起伏の波を起こし、該各浮板は揺動桿によって駆動されてその両側に高低落差動作を発生すると共に、更に貯水容器内の高低起伏の波と共振すると、各浮板の他単側が更に大きな駆動運動として受け、更に少なくとも二片の浮板がそれぞれ変速機もしくは伝動ユニットを駆動し、一以上の慣性ターンテーブルユニット（フライホール）を伝動することで運動エネルギーを一以上の発電機に伝えて高効率の電力を発生する。揺動桿が少なくとも直接二個の貯水容器内の浮板を動かして運動エネルギーを発することを最も主要な特徴とする。
【考案の効果】
【０００６】
本考案の造波式エコ発電システムは、相対して二個の貯水容器に占める空間を節約し、場所の制限を受けないので幅広く運用でき、汚染と廃棄物を出さず、更に貯水容器内の水は反復して使えるので、環境保護に合致し、他に製造コストが低いので普及及び運用しやすいという利点がある。
【図面の簡単な説明】
【０００７】
【図１】本考案の実施例の部分組立断面指示図である。
【図２】本考案の実施例のうちの減速機付モーターが揺動桿を動かす俯瞰平面指示図である。
【図３】本考案の実施例のうちの揺動桿の連動フレーム、浮板と変速機もしくは伝動ユニットの俯瞰平面指示図である。
【図４】本考案の実施例の浮板と変速機もしくは伝動ユニットの部分俯瞰平面拡大指示図である。
【考案を実施するための形態】
【０００８】
本考案者は、上述の課題に鑑み、揺動桿で直接浮板を駆動し、浮板の一側に比較的大きな運動動作を生み出すことに拠って、発電することを前提とし、更に貯水容器の使用を節約する事を考案に加え、常に研究とテストを繰り返し、遂に一種の造波式エコ発電システムを考案した。
【０００９】
揺動桿で駆動力を直接浮板に伝動して、その一側に比較的大きな運動動作を起こして発電する造波式エコ発電システムを提供することを本考案の主な目的とする。
【００１０】
揺動桿で少なくとも直接二個の貯水容器内の浮板に駆動力を伝動して大きな運動動作を起こし、相対して二個の貯水容器の占める空間を節約する造波式エコ発電システムを提供することを本考案の次の目的とする。
【００１１】
幅広く運用し、相対して配置された二個の貯水容器により場所の制限を受けず、汚染と廃棄物を排出しない。更に貯水容器内の水を反復して使用することで、環境保護の原則に符合する。他に、製造コストが低いため、一般的に製造コストが高い太陽エネルギーもしくは風力発電システムと比較して普及及び運用しやすい造波式エコ発電システムを提供することを本考案の更に別の目的とする。
【実施例】
【００１２】
図１〜図４に示すとおり、本考案の造波式エコ発電システムは以下の構成からなる。
【００１３】
支持フレーム１は、その底部を地面、建築物、或いは貯水容器５等の固定部位に固定し、その上方は第一枢設部品１２で揺動桿２の一側と枢設し、揺動桿２は揺動桿伝動ユニット３により駆動、伝動されて、該枢設部品１２を支点として回転動作する。
【００１４】
揺動桿２は、その一側端の第二枢設部品２０で連動フレーム２１を枢設し、該連動フレーム２１は、第三枢設部品２２で少なくとも二本の触発桿２１１、２１２を枢設し、該二本の触発桿２１１、２１２の下方は、それぞれ第四枢設部品２３で浮板６の一側を枢設し、二片の浮板６の一側を上下方向に往復動作させ、該揺動桿２の他側は、揺動桿伝動ユニット３によって上下の駆動力を伝動する。
該揺動桿伝動ユニット３は、揺動桿２の他側で二本のワイヤー３１、３２に連接し、図２に示すとおり、該二本のワイヤー３１、３２は、それぞれ複数の滑車３５、３６、３７、３８によってその方向に引き回されて、該二本のワイヤー３１、３２の他端３１１、３２１は、それぞれ前クランク３３１及び後クランク３３２と枢設し、該前クランク３３１と後クランク３３２は、クランク伝動軸３３の前、後両側に設置され、該クランク伝動軸３３はスプロケットもしくはベルトプーリー３３３を設けて該ベルトプーリー３３３に巻回されたチェーンもしくはベルト３４は減速機付モーター３０の軸心に設置したスプロケットもしくはベルトプーリー３０１によって駆動され、前記の構成を経て揺動桿伝動ユニット３に伝動される。
【００１５】
少なくとも二個の貯水容器５は、それぞれその上方中間の適宜の高度位置から第五枢設部品５０を介して浮板６に枢設し、各貯水容器５に貯留した水量は少なくとも該貯水容器５の可能容量の２/３以上であり、各貯水容器５に近い適宜の位置もしくは該貯水容器５の側壁５１に、第一、二支持桿６３、６３’(図３参照)を固定すると共に該第一、二支持桿６３、６３’の他端は第六枢設部品６４で浮板６の第一連桿６１と第二連桿６１’を枢設し、該第二支持桿６３’は別に延長部６３１’を備えて追動ギア６５で枢設する。
【００１６】
少なくとも二片の浮板６は、各浮板６の中間に該第五枢設部品５０で貯水容器５に枢設し、且つ該二片の浮板６はその一側が第四枢設部品２３で揺動桿２の連動フレーム２１の触発桿２１１、２１２下方と枢設し、二片の浮板６の一側が揺動桿２の上下動作を受けて二片の浮板６は各第五枢設部品５０の中心を支点として回転動作する。
更に、これらの回転動作に伴う浮板６両側の高低落差動作によって各貯水容器５内の水が高低起伏の波を発生し、該二片の浮板６は被揺動桿２の上下動作によってその両側が高低落差動作を起こすと共に、貯水容器５内の高低起伏の波が共振することにより、相対する各浮板６の他側に更に大きな運動を形成し、また、該二片の浮板６の他側は、少なくともそれぞれ第一連桿６１と第二連桿６１’(図１、図３と図４参照)を接合固定しており、各第一、二連桿６１、６１’の他端は前述の第六枢設部品６４により第一、二スプロケット６１１、６１１’及び前述第一、二支持桿６３、６３’の他端と枢設する(図３参照)。
該第一スプロケット６１１の一側は追動軸７１の第一単方向ボールラチェット７１１と噛み合い、該第二スプロケット６１１’の一側は、第二支持桿６３’に枢設した追動ギア６５の一側と噛み合い、次に追動ギア６５の他側は該追動軸７１の別に設置した第二単方向ボールラチェット７１２と噛み合って、該追動軸７１に伝動する。
さらに、図３、図４に示すとおり、該追動軸７１は他に一以上のスプロケットもしくはベルトプーリー７３１を設置して変速機もしくは伝動ユニット７(図３、図４参照)に伝動し、一以上の慣性ターンテーブルユニット（フライホイール）７６によって運動エネルギーを一以上の発電機８に伝達して電力を発生する。
【００１７】
以上の構成に拠って、減速機付モーター３０が回転すると、その軸心に設置したスプロケットもしくはベルトプーリー３０１は、チェーンもしくはベルト３４によって該クランク伝動軸３３を回転し、クランク伝動軸３３の前、後両側に設置した前、後クランク３３１、３３２によって二本のワイヤー３１、３２を駆動し、該二本のワイヤー３１、３２は、それぞれ複数の滑車３５、３６、３７、３８を経由してそれぞれ揺動桿２を回転動作する。また、揺動桿２に枢設した連動フレーム２１の触発桿２１１、２１２が二片の浮板６の一側を動かして上下方向に往復運動し、二個の貯水容器５内の水は高低起伏する波を起こし、該二片の浮板６は揺動桿２の動きによってその両側が高低落差の往復動作をすることに伴って、更に、これらがそれぞれに貯水容器５内の高低起伏の波と共振することによって、各浮板６の他側が更に大きな駆動運動を行い、該浮板６の他側は第一、二連桿６１、６１’(図１、図３と図４参照)の第一、二スプロケット６１１、６１１’によって第一、二単方向ボールラチェット７１１、７１２を通して追動軸７１を動かして回転させ、同時に追動軸７１の別に設置した複数のスプロケットもしくはベルトプーリー７３１を動かして変速機もしくは伝動ユニット７に伝動し、一以上のフライホイール７６によって運動エネルギーを一以上の発電機８に伝えて電力を発生する。
【００１８】
更に、該貯水容器５は、高強度金属、高強度剛性プラスチック、セメント、セメント混合物等高強度材料によって製作された円形、矩形、多辺形等適した形状の容器体，もしくはプール、もしくは上方が開放した容器であり、且つ、実施するに当たっては、該貯水容器５に貯蔵する水量は少なくとも該貯水容器５の可能容量の２/３以上とすることが好適である。
【００１９】
他に図３、図４に示すとおり、各浮板６は、第一、二連桿６１、６１’によって追動軸７１を動かして回転し、同時に追動軸７１に別に設置した複数のスプロケットもしくはベルトプーリー７３１を動かして回転し、変速機もしくは伝動ユニット７に伝動し、更に各変速機もしくは伝動ユニット７は、各フライホイール７６によって、それぞれ運動エネルギーを発電機８に伝えて電力を起こす。言い換えると、二片の浮板６は、それぞれ変速機もしくは伝動ユニット７に伝動し、その後各変速機もしくは伝動ユニット７によって、フライホイール７６を経て運動エネルギーを発電機８に伝える。
【００２０】
上述のとおりであるから、本考案は以下の効果を備える。
【００２１】
減速機付モーター３０は揺動桿２を駆動・伝動し、少なくとも直接二片の浮板６を動かすことによって少なくとも二個の貯水容器５内の水で高低起伏の波を作り、該各浮板６は揺動桿２に駆動されてその両側が高低落差動作を発生する他に、更に貯水容器５内の高低起伏の波と共振することにより、各浮板６の別一側は更に大きな駆動運動を生じ、更に少なくとも二片の浮板６により変速機もしくは伝動ユニット７を動かし、一以上のフライホイール７６を動かして運動エネルギーを一以上の発電機８に伝えて高効率の電力を発生する。
【００２２】
揺動桿は、少なくとも二個の貯水容器５内の浮板６をそれぞれ駆動して運動エネルギーを伝動し、貯水容器に占める空間を相対的に節約する。
【００２３】
広範な運用に拠って、場所の制限を受けることがなく、汚染と廃棄物を生むことがなく、且つ貯水容器５内の水を繰返して使用でき、環境保護の原則に符合する。他に、コストを下げることで、一般にコストが高い太陽エネルギーもしくは風力発電システムと比較して更に普及と運用ができる。
【符号の説明】
【００２４】
１        支持フレーム
１２        枢設部品
２        揺動桿
２０        第二枢設部品
２１        連動フレーム
２１１        触発桿
２１２        触発桿
２２        第三枢設部品
２３        第四枢設部品
３        揺動桿伝動ユニット
３０        減速機付モーター
３０１        スプロケットもしくはベルトプーリー
３３３        スプロケットもしくはベルトプーリー
７３１        スプロケットもしくはベルトプーリー
３１        ワイヤー
３２        ワイヤー
３１１        別一端
３２１        別一端
３３        クランク伝動軸
３３１        前クランク
３３２        後クランク
３４        チェーンもしくはベルト
３５        滑車
３６        滑車
３７        滑車
３８        滑車
５        貯水容器
５０        第五枢設部品
５１        側壁
６        浮板
６１        第一連桿
６１１        第一スプロケット
６１’      第二連桿
６１１’      第二スプロケット
６３        第一支持桿
６３’      第二支持桿
６３１’      延長部
６４        第六枢設部品
６５        追動ギア
７        変速機もしくは伝動ユニット
７１        追動軸
７１１        第一単方向ボールラチェット
７１２        第二単方向ボールラチェット
７６        フライホイール
８        発電機
【図１】
0003206948.tif 000003
【図２】
0003206948.tif 000004
【図３】
0003206948.tif 000005
【図４】
0003206948.tif 000006